(57)【要約】      （修正有）【課題】多様な種類の大面積を持つ対象面に積もった雪や異物を確かで效率的にとり除くようにした異物積層防止装置を提供する。【解決手段】対象面に第１方向に沿って配置されるワイパー１００と、ワイパーの下面に装着され第１方向と直交する第２方向に移動するメーン移動体１２０と、ワイパーの両側の下面に装着されメーン移動体とともに第２方向に移動するサブ移動体１３０と、を含む第１ユニット１００と、メーン移動体の往復を支持するように対象面に配置されるメーンレール２１０と、ワイパーの一側の下面に装着されたサブ移動体の往復を支持するように対象面に配置される第１サブレール２２０ａと、ワイパーの他側の下面に装着されたサブ移動体の往復を支持するように対象面に配置される第２サブレール２２０ｂと、を含む第２ユニット２００と、メーン移動体が往復可能になるように駆動力を伝達する第３ユニットとを含む。【選択図】図１
2020049188.tif 000002
【特許請求の範囲】
【請求項１】
対象面に第１方向に沿って配置されるワイパーと、前記ワイパーの下面に装着され前記第１方向と直交する第２方向に移動するメーン移動体と、前記ワイパーの両側の下面に装着され前記メーン移動体とともに前記第２方向に移動するサブ移動体と、を含む第１ユニットと、
前記メーン移動体の往復を支持するように前記対象面に配置されるメーンレールと、前記ワイパーの一側の下面に装着された前記サブ移動体の往復を支持するように前記対象面に配置される第１サブレールと、前記ワイパーの他側の下面に装着された前記サブ移動体の往復を支持するように前記対象面に配置される第２サブレールと、を含む第２ユニットと、
前記メーンレールの上面及び下面と各々見合わせるように装着される内側の縁を持つ駆動伝達手段を含み、前記駆動伝達手段の外側の縁の上の特定な地点に固定された前記メーン移動体が、前記メーンレールに沿って往復可能になるように駆動力を伝達する第３ユニットと、を含み、
前記ワイパーは、前記対象面に積層された異物を前記対象面の外にとり除く
ことを特徴とする異物積層防止装置。
【請求項２】
前記ワイパーは、
前記対象面に見合わせるように配置され前記第１方向に沿ってバー形象に延長形成されたコア片と、
前記コア片の両側の縁から前記対象面側に向け各々延長され前記コア片に対し傾くように配置されるサイド片と、
前記コア片と前記サイド片とが会い合う連結部位に前記第１方向に沿って前記対象面側に向けて形成され、前記異物を前記ワイパーの移動方向に沿って掃き出すブラッシュアレイと、を含み、
前記メーン移動体は、前記コア片の下面の中間に装着されることと共に、前記サイド片の各々の縁を収容する
請求項１に記載の異物積層防止装置。
【請求項３】
前記メーン移動体は、
前記メーンレールの上部に配置されるメーンブロックと、
前記メーンブロックの下面に前記第２方向に陷沒され前記メーンレールの上面に見合わせるメーン天井案内面を持つメーン移動案内溝と、
前記メーン移動案内溝の両側の縁の外側に各々回転可能に装着され前記メーンブロックの下面に配置され、前記メーンレールの両側面に対し転ぶように接触するメーン移動ローラーと、
前記メーンブロックの上面の中心から突き出され前記第１方向に配置され、前記ワイパーのコア片の下面に見合わせるメーン安着突片と、
前記メーンブロックの上面に前記第１方向に沿って陷沒形成され前記メーン安着突片の両側の縁の外側に各々配置され、前記コア片の両側の縁から傾くように延長形成されたサイド片の縁が収容され安着されるサイド安着溝と、を含む
請求項１に記載の異物積層防止装置。
【請求項４】
前記サブ移動体は、
前記第１サブレール及び前記第２サブレールの各々の上部に配置されるサブブロックと、
前記サブブロックの下面に前記第２方向に陷沒され前記第１サブレール及び前記第２サブレールの各々の上面に見合わせるサブ天井案内面を持つサブ移動案内溝と、
前記サブ移動案内溝の両側の縁の外側に各々回転可能に装着され前記サブブロックの下面に配置され、前記第１サブレール及び前記第２サブレールの各々の両側面に対し転ぶように接触するサブ移動ローラーと、
前記サブブロックの上面の中心から突き出され前記第１方向に配置され、前記ワイパーのコア片の下面に見合わせるサブ安着突片と、を含む
請求項１に記載の異物積層防止装置。
【請求項５】
前記メーンレールは、
前記第２方向に両端が貫通され前記駆動伝達手段の下部の内側の縁が見合わせる天井面を持つメーンレール本体と、
前記メーンレール本体の上面に前記第２方向に沿って陷沒され前記駆動伝達手段の上部の内側の縁が見合わせる底面を持つ案内収容溝と、
前記メーンレール本体の上面に前記第２方向に沿って平行に複数に陷沒され前記案内収容溝の両側の縁の外側に配置される上部メーン補強リブ溝と、
前記メーンレール本体の両側面の上部側に前記第２方向に沿って各々突き出され形成された上部メーンリブと、
前記上部メーンリブの下部側の外側面に沿って傾くように切開形成された上部メーン傾斜案内面と、
前記メーンレールの両側面の下部側に前記第２方向に沿って各々突き出され形成された下部メーンリブと、
前記下部メーンリブの上部側の外側面に沿って傾くように切開形成された下部メーン傾斜案内面と、を含み、
前記上部メーン傾斜案内面及び前記下部メーン傾斜案内面に、前記メーン移動体の下部の両側に回転可能に装着されるメーン移動ローラーの上、下の両端部の縁が当接し転ぶように接触する
請求項１に記載の異物積層防止装置。
【請求項６】
前記第１サブレール及び前記第２サブレールは、
前記第２方向に両端が貫通されたサブレール本体と、
前記サブレール本体の上面に前記第２方向に沿って平行に複数に陷沒された上部サブ補強リブ溝と、
前記サブレール本体の両側面の上部側に前記第２方向に沿って各々突き出され形成された上部サブリブと、
前記上部サブリブの下部側の外側面に沿って傾くように切開形成された上部サブ傾斜案内面と、
前記サブレール本体の両側面の下部側に前記第２方向に沿って各々突き出され形成された下部サブリブと、
前記下部サブリブの上部側の外側面に沿って傾くように切開形成された下部サブ傾斜案内面と、を含み、
前記上部サブ傾斜案内面及び前記下部サブ傾斜案内面に、前記サブ移動体の下部の両側に回転可能に装着されるサブ移動ローラーの上、下の両端部の縁が当接し転ぶように接触する
請求項１に記載の異物積層防止装置。
【請求項７】
前記第３ユニットは、
前記メーンレールの一端部の外側に具備される駆動モーターと、
前記駆動モーターの駆動軸に結合され前記駆動伝達手段であるベルトの内周面が当接しかかる駆動プーリーと、
前記メーンレールの他端部の外側に具備され前記ベルトの内周面が当接しかかる従動プーリーと、
前記メーンレールの一端部の外側に具備され、前記メーンレールの一端部と前記駆動プーリーとの間に配置され前記ベルトの上部側の内周面と下部側の内周面が接触する外周面を有するガイドプーリーと、
前記ガイドプーリーと前記駆動プーリーとの間を経つ前記ベルトの上部側の外周面と下部側の外周面を加圧し一定な程度の張力を維持させる張力維持部と、をさらに含み、
前記ベルトの上部側の内週面は、前記メーンレールの上面に見合わせ、前記ベルトの下部側の内週面は、前記メーンレールの内部の天井面に見合わせ、
前記ベルトの上部側の外周面に、前記メーン移動体が固定される
請求項１に記載の異物積層防止装置。
【請求項８】
前記張力維持部は、
前記ベルトの上部側の外周面に接触する上部加圧ローラーと、
前記ベルトの下部側の外周面に接触する下部加圧ローラーと、
前記上部加圧ローラーの回転軸の両端部を支持し前記ベルトの上部側の外周面の上部に配置される上部支持バーと、
前記下部加圧ローラーの回転軸の両端部を支持し前記ベルトの下部側の外周面の下部に配置される下部支持バーと、
前記メーンレールの一端部から遠くなる方向側の前記上部支持バーの端部（以下第１外側末端）と、前記メーンレールの一端部から遠くなる方向側の前記下部支持バーの端部（以下第２外側末端）と、を相互連結し、前記第１外側末端と前記第２外側末端とが、お互いに遠くなる方向に弾性力を発生させながら弾性変形を許容する張力維持スプリングと、を含む
請求項７に記載の異物積層防止装置。
【請求項９】
前記メーンレールの一端部の外側に具備され、前記駆動モーターと前記駆動プーリーと前記ガイドプーリーと及び前記張力維持部とを収容する空間が形成される駆動ボックスと、
前記駆動ボックスの上面に脱着可能に具備されるカバーと、
前記カバーの一側に形成され前記カバーに接する異物が雪または雨または土砂であるかを感知する異物感知センサーと、
前記駆動ボックスに内蔵され前記駆動モーターと前記異物感知センサーとを制御するコントローラーと、
前記駆動モーターの一側に具備され前記メーン移動体が前記メーンレールの一端部に近付くことを感知し前記コントローラーに前記駆動モーターの駆動軸を反対方向に回転させる信号を伝達する非接触近接センサーと、をさらに含む
請求項７に記載の異物積層防止装置。
【発明の詳細な説明】
【技術分野】
【０００１】
本発明は、異物積層防止装置に関し、特に、多様な種類の大面積を持つ対象面に積もった雪や異物を確かで效率的にとり除くようにした異物積層防止装置に関する。
【背景技術】
【０００２】
いわゆる 豪雪地帯と称えられる日本の北海道及び東北地方を含む地域では冬期に降る雪の量が非常に多いが、その荷重は屋根の面積に比例して増大されるため、このような地方の建築物屋根に雪のような異物が積もる場合屋根はその荷重を耐えることができずに崩れ落ちるとか屋根の上に積もった雪が落下するによって人名被害の発生する場合が多かった。
【０００３】
前記のような観点で案出された発明として、特許文献１の「ビニールハウス雪除去装置」（以下先行技術）などが挙げられる。
【０００４】
先行技術は、ビニールハウスの長さ方向で往復移動しながら積もった雪を一側で密語とり除く除雪手段と、前記除雪手段を周期的に往復移動させる運び手段と、及び、前記除雪手段が均一な経路に沿って移動するように案内する案内手段と、を含み成り立ったものである。
【０００５】
しかし、先行技術は除雪対象面であるビニールハウスの上面が曲面から成り、除雪手段を成すブラシ固定プレームが折曲された形態になっているため、除雪しなければならない積雪量が多い場合、ブラシ固定フレームの折曲部分に集中的な剪断応力が加えられる問題点がある。
【０００６】
特に、先行技術は除雪手段が往復する過程からこのような剪断応力によりブラシ固定プレームが破損されるとか捻れる問題が発生する恐れがあった。
【０００７】
なによりも先行技術は、ブラシ固定フレームの末端を支持する構成要素がないため、剪断応力による変形がブラシ固定フレームの折曲部分の周辺に発生し始めれば、破損が急に起き正常的な作動が不可能な致命的な問題に打ち当ることがあった。
【先行技術文献】
【特許文献】
【０００８】
【特許文献１】大韓民国登録特許第０８９３２０７号
【発明の概要】
【発明が解決しようとする課題】
【０００９】
本発明は前記のような問題点を改善するために多様な種類の大面積を持つ対象面に積もった雪や異物を確かで效率的にとり除くようにする異物積層防止装置を提供することを目的とする。
【課題を解決するための手段】
【００１０】
前記目的を達成するために、本発明の異物積層防止装置は、対象面に第１方向に沿って配置されるワイパーと、前記ワイパーの下面に装着され前記第１方向と直交する第２方向に移動するメーン移動体と、前記ワイパーの両側の下面に装着され前記メーン移動体とともに前記第２方向に移動するサブ移動体と、を含む第１ユニットと、前記メーン移動体の往復を支持するように前記対象面に配置されるメーンレールと、前記ワイパーの一側の下面に装着された前記サブ移動体の往復を支持するように前記対象面に配置される第１サブレールと、前記ワイパーの他側の下面に装着された前記サブ移動体の往復を支持するように前記対象面に配置される第２サブレールと、を含む第２ユニットと、及び、前記メーンレールの上面及び下面と各々見合わせるように装着される内側の縁を持つ駆動伝達手段を含み、前記駆動伝達手段の外側の縁の上の特定な地点に固定された前記メーン移動体が、前記メーンレールに沿って往復可能になるように駆動力を伝達する第３ユニットと、を含み、前記ワイパーは、前記対象面に積層された異物を前記対象面の外にとり除くことを特徴とする異物積層防止装置を提供することができる。
【００１１】
ここで、前記ワイパーは、前記対象面に見合わせるように配置され前記第１方向に沿ってバー形象に延長形成されたコア片と、前記コア片の両側の縁から前記対象面側に向け各々延長され前記コア片に対し傾くように配置されるサイド片と、及び、前記コア片と前記サイド片とが会い合う連結部位に前記第１方向に沿って前記対象面側に向けて形成され、前記異物を前記ワイパーの移動方向に沿って掃き出すブラッシュアレイと、を含み、前記メーン移動体は、前記コア片の下面の中間に装着されることと共に、前記サイド片の各々の縁を収容することを特徴とする。
【００１２】
この時、前記メーン移動体は、前記メーンレールの上部に配置されるメーンブロックと、前記メーンブロックの下面に前記第２方向に陷沒され前記メーンレールの上面に見合わせるメーン天井案内面を持つメーン移動案内溝と、前記メーン移動案内溝の両側の縁の外側に各々回転可能に装着され前記メーンブロックの下面に配置され、前記メーンレールの両側面に対し転ぶように接触するメーン移動ローラーと、前記メーンブロックの上面の中心から突き出され前記第１方向に配置され、前記ワイパーのコア片の下面に見合わせるメーン安着突片と、及び、前記メーンブロックの上面に前記第１方向に沿って陷沒形成され前記メーン安着突片の両側の縁の外側に各々配置され、前記コア片の両側の縁から傾くように延長形成されたサイド片の縁が収容され安着されるサイド安着溝と、を含むことを特徴とする。
【００１３】
そして、前記サブ移動体は、前記第１サブレール及び前記第２サブレールの各々の上部に配置されるサブブロックと、前記サブブロックの下面に前記第２方向に陷沒され前記第１サブレール及び前記第２サブレールの各々の上面に見合わせるサブ天井案内面を持つサブ移動案内溝と、前記サブ移動案内溝の両側の縁の外側に各々回転可能に装着され前記サブブロックの下面に配置され、前記第１サブレール及び前記第２サブレールの各々の両側面に対し転ぶように接触するサブ移動ローラーと、及び、前記サブブロックの上面の中心から突き出され前記第１方向に配置され、前記ワイパーのコア片の下面に見合わせるサブ安着突片と、を含むことを特徴とする。
【００１４】
そして、前記メーンレールは、前記第２方向に両端が貫通され前記駆動伝達手段の下部の内側の縁が見合わせる天井面を持つメーンレール本体と、前記メーンレール本体の上面に前記第２方向に沿って陷沒され前記駆動伝達手段の上部の内側の縁が見合わせる底面を持つ案内収容溝と、前記メーンレール本体の上面に前記第２方向に沿って平行に複数に陷沒され前記案内収容溝の両側の縁の外側に配置される上部メーン補強リブ溝と、前記メーンレール本体の両側面の上部側に前記第２方向に沿って各々突き出され形成された上部メーンリブと、前記上部メーンリブの下部側の外側面に沿って傾くように切開形成された上部メーン傾斜案内面と、前記メーンレールの両側面の下部側に前記第２方向に沿って各々突き出され形成された下部メーンリブと、及び、前記下部メーンリブの上部側の外側面に沿って傾くように切開形成された下部メーン傾斜案内面と、を含み、前記上部メーン傾斜案内面及び前記下部メーン傾斜案内面に、前記メーン移動体の下部の両側に回転可能に装着されるメーン移動ローラーの上、下の両端部の縁が当接し転ぶように接触することを特徴とする。
【００１５】
そして、前記第１サブレール及び前記第２サブレールは、前記第２方向に両端が貫通されたサブレール本体と、前記サブレール本体の上面に前記第２方向に沿って平行に複数に陷沒された上部サブ補強リブ溝と、前記サブレール本体の両側面の上部側に前記第２方向に沿って各々突き出され形成された上部サブリブと、前記上部サブリブの下部側の外側面に沿って傾くように切開形成された上部サブ傾斜案内面と、前記サブレール本体の両側面の下部側に前記第２方向に沿って各々突き出され形成された下部サブリブと、及び、前記下部サブリブの上部側の外側面に沿って傾くように切開形成された下部サブ傾斜案内面と、を含み、前記上部サブ傾斜案内面及び前記下部サブ傾斜案内面に、前記サブ移動体の下部の両側に回転可能に装着されるサブ移動ローラーの上、下の両端部の縁が当接し転ぶように接触することを特徴とする。
【００１６】
そして、前記第３ユニットは、前記メーンレールの一端部の外側に具備される駆動モーターと、前記駆動モーターの駆動軸に結合され前記駆動伝達手段であるベルトの内周面が当接しかかる駆動プーリーと、前記メーンレールの他端部の外側に具備され前記ベルトの内周面が当接しかかる従動プーリーと、及び
前記メーンレールの一端部の外側に具備され、前記メーンレールの一端部と前記駆動プーリーとの間に配置され前記ベルトの上部側の内周面と下部側の内周面が接触する外周面を有するガイドプーリーと、及び、前記ガイドプーリーと前記駆動プーリーとの間を経つ前記ベルトの上部側の外周面と下部側の外周面を加圧し一定な程度の張力を維持させる張力維持部と、をさらに含み、前記ベルトの上部側の内週面は、前記メーンレールの上面に見合わせ、前記ベルトの下部側の内週面は、前記メーンレールの内部の天井面に見合わせ、前記ベルトの上部側の外周面に、前記メーン移動体が固定されることを特徴とする。
【００１７】
また、前記第３ユニットは、前記メーンレールの一端部の外側に具備される駆動モーターと、前記駆動モーターの駆動軸に結合され前記駆動伝達手段であるベルトの内周面が当接しかかる駆動プーリーと、前記メーンレールの他端部の外側に具備され前記ベルトの内周面が当接しかかる従動プーリーと、 前記メーンレールの一端部の外側に具備され、前記メーンレールの一端部と前記駆動プーリーとの間に配置され前記ベルトの上部側の内周面と下部側の内周面が接触する外周面を有するガイドプーリーと、及び、前記ガイドプーリーと前記駆動プーリーとの間を経つ前記ベルトの上部側の外周面と下部側の外周面を加圧し一定な程度の張力を維持させる張力維持部と、をさらに含み、前記ベルトの上部側の内週面は、前記メーンレールの上面に見合わせ、前記ベルトの下部側の内週面は、前記メーンレールの内部の天井面に見合わせ、前記ベルトの上部側の外周面に、前記メーン移動体が固定されることを特徴とする。
【００１８】
同時に、前記メーンレールの一端部の外側に具備され、前記駆動モーターと前記駆動プーリーと前記ガイドプーリーと及び前記張力維持部とを収容する空間が形成される駆動ボックスと、前記駆動ボックスの上面に脱着可能に具備されるカバーと、前記カバーの一側に形成され前記カバーに接する異物が雪または雨または土砂であるかを感知する異物感知センサーと、前記駆動ボックスに内蔵され前記駆動モーターと前記異物感知センサーとを制御するコントローラーと、及び、前記駆動モーターの一側に具備され前記メーン移動体が前記メーンレールの一端部に近付くことを感知し前記コントローラーに前記駆動モーターの駆動軸を反対方向に回転させる信号を伝達する非接触近接センサーと、をさらに含むことを特徴とする。
【発明の効果】
【００１９】
前記のような構成の本発明によれば、次のような効果をはかることができる。
【００２０】
まず、本発明は、対象面に積もった異物をとり除くワイパーの長さが十分であったら、ワイパーが対象面に沿って往復移動する時ワイパーの中心部と両端部を支持することによりどんな種類の大面積を持つ対象面にも均一で效率的な異物除去の効果をはかることができる。
【００２１】
特に、本発明は、室内から遠隔にワイパーの往復を制御することにより、雪がたくさん降る地域の建築物屋根に積もった莫大な量の雪による崩壊や、落下する雪によって人名被害が発生することをあらかじめ防止することができるという特長店を持つ。
【００２２】
なによりも、本発明は、前述のような雪がたくさん降る地域の建築物屋根や傾斜屋根は勿論、太陽光発電設備の集光パネルや、建築構造物の硝子表面、建築物の傾いた屋根、傾斜地の人道または傾斜地の道路などに幅広い適用が可能なので汎用性の側面からみると非常に優秀な発明である。
【００２３】
そして、本発明は、ワイパーの中心部及び両端部を支持し往復移動させ、ワイパーの往復移動に必要な駆動力の伝達は単一のモーターにより行われるようにすることにより、不必要な動力の使用を節制しエネルギーの效率的な管理が可能になるだろう。
【００２４】
そして、本発明は、ベルトやチェーンを含む駆動伝達手段によってワイパーを移動させるメカニズムを採択していて、このようなメカニズムは、長期間経過により最初に設置された状態の張力と比べると非常に張力が低下されてしまう場合が多いが、本発明では駆動伝達手段の外の周りの上、下を同時に一定な程度の圧力に加圧することにより、最初設置の時の張力をそのまま維持しながらワイパーを往復運動させることができるため、装置の全体の耐久性及び寿命年限を増大させることができる特長店を持つ。
【００２５】
そして、本発明は、ワイパーを直線往復させる移動体と、このような移動体を案内するレールとの間にぴったりにお互い当接し転ぶように接触する特殊な形象の案内経路を提供することにより、ワイパーの往復移動の時ワイパーの中間と両端部とを支持し移動しながらもワイパーの長さに関係なく安定的で搖れることもない精密な往復走行が可能になるだろう。
【００２６】
そして、本発明は、対象面に接触する異物が雪や雨水または土砂であるかを判断する異物感知センサーによって、異物の種類によるワイパーの作動可否を正確に判断することができるため、維持管理の便宜及び效率性を増大させることができるようになる。
【００２７】
そして、本発明によれば、ワイパーの移動に駆動力を伝達するモーターを含む部品たちが一切外部で露出することもないため、装置全体の耐久性及び寿命年限増大をはかることができるようになる。
【００２８】
同時に、 本発明によれば、ワイパーの全体的な断面形象を台形になるようにし積雪のような異物の積層された高さがある程度を超過した場合にワイパーの表面から積もった雪が超えるようにしワイパーにかかる剪断応力と荷重及び圧力を分散させることにより部品の耐久性及び寿命年限の増大をはかることができることは勿論、ワイパーの移動に必要な駆動力を伝達するモーターのトルクを軽減させることもできるようになる。
【００２９】
そして、本発明によれば、ワイパーの形成方向に沿って対象面側に向け配置されたブラシを復元力が優秀な素材に製作されるようにすることにより水または雪に濡れても関わらずいつも一定な性能で異物除去をはかることができるし、このようなブラシを装着した構造は傾斜屋根の上に突き出された構造物も容易く回避しながら動くことができるという長所を持つ。
【図面の簡単な説明】
【００３０】
【図１】本発明の一実施例に係る異物積層防止装置の全体的な見掛けを示した斜視図
【図２】本発明の一実施例に係る異物積層防止装置の全体的な見掛けを示した平面図
【図３】本発明の一実施例に係る異物積層防止装置の結合関係を図示した部分分解斜視図
【図４】本発明の一実施例に係る異物積層防止装置の主要部である第１ユニットのワイパーに結合されるメーン移動体の構造を図示したものであり、図４（ａ）は、図３のＩＶａ部分を拡大し示した部分拡大分解斜視図であり、図４（ｂ）は、他の角度から眺めた本発明の主要部である第１ユニットのワイパーに結合されるメーン移動体の底面からななめに眺めたことを示した斜視概念図
【図５】図２のＶａ及びＶｂ時点から眺めたものであり、本発明の一実施例に係る第１ユニットのメーン移動体とかみ合うメーンレールの構造を図示した断面概念図
【図６】本発明の一実施例に係る異物積層防止装置の主要部である第１ユニットのワイパーに結合されるサブ移動体の構造を図示したものであり、図６（ａ）は図３のＶＩａ部分を拡大して示した部分拡大分解斜視図であり、図６（ｂ）は他の角度から眺めた本発明の主要部である第１ユニットのワイパーに結合されるサブ移動体の底面からななめに眺めたことを示した斜視概念図
【図７】図２のＶＩＩａ及びＶＩＩｂ時点から眺めたものであり、本発明の一実施例に係る第１ユニットのサブ移動体とかみ合う第２ユニットの第２サブレールの構造を図示した断面概念図
【図８】図３のＶＩＩＩ部分を拡大して図示したものであり、本発明の一実施例に係る異物積層防止装置の主要部であるワイパーに駆動力を伝達する第３ユニットの中駆動伝達係と張力維持部の構造を図示した部分分解斜視概念図
【図９】図２のＩＸ時点から眺めたものであり、本発明の一実施例に係る異物積層防止装置の主要部である第３ユニットの駆動伝達係と張力維持部の内部構造を図示した側断面概念図
【図１０】図３のＸ時点から眺めたものであり、本発明の一実施例に係る異物積層防止装置の主要部である第２ユニットのメーンレールの他端部側に配置された従動プーリーとベルトとの結合関係を図示した部分分解斜視概念図
【図１１】本発明の一実施例に係る異物積層防止装置の主要部である第２ユニットのメーンレールの他端部側に配置された従動プーリーとベルトとの結合関係を図示した部分分解斜視概念図
【図１２】図２のＸＩＩ時点から眺めたものであり、本発明の一実施例に係る異物積層防止装置の主要部である第２ユニットのメーンレールを差し支持する調節支持手段の構造を図示した側面概念図
【発明を実施するための形態】
【００３１】
本発明の利点及び特徴、そして、それらを達成する方法は、添付の図面と共に詳細に説明している実施例を参照すれば明確になる。しかし、本発明は、ここで説明する実施例に限定されず、他の形態に具体化することもできる。ここで紹介する実施例は、開示された内容を徹底的且つ完全にするために、そして、当業者に本発明の思想を十分に伝達するために提供されるものである。そして本発明は請求項の範疇によって定義されるだけである。
【００３２】
したがって、いくつかの実施例において、よく知られた構成要素、よく知られた動作及びよく知られた技術は、本発明が曖昧に解釈されることを避けるために具体的に説明されない。
【００３３】
また、明細書全体にかけ同一参照符号は同一構成要素を指称して、本明細書で使われた（言及された）用語は実施例を説明するためのことであり、本発明を制限しようとすることではない。
【００３４】
本明細書において、単数型は文句から特別に言及しない限り複数型も含み、「含み（または、具備）する」に言及された構成要素及び動作は、一つ以上の他の構成要素及び動作の存在または追加を排除しない。
【００３５】
他の定義がなければ、本明細書で使われるすべての用語（技術及びと学的用語を含み）は本発明が属する技術分野で通常の知識を持つ者に共通的に理解できる意味で使われることができる。
【００３６】
また一般的に使われる前もって定義されている用語は、定義されていない限り理想的にまたは過度に解釈されない。
【００３７】
以下、添付の図面を参照して本発明の好ましい実施例に対して説明する。
【００３８】
まず、図１は、本発明の一実施例に係る異物積層防止装置の全体的な見掛けを示した斜視図である。
【００３９】
そして、図２は、本発明の一実施例に係る異物積層防止装置の全体的な見掛けを示した平面図である。
【００４０】
そして、図３は、本発明の一実施例に係る異物積層防止装置の結合関係を図示した部分分解斜視図である。
【００４１】
そして、図４は、本発明の一実施例に係る異物積層防止装置の主要部である第１ユニット１００のワイパー１１０に結合されるメーン移動体１２０の構造を図示したものであり、図４（ａ）は図３のＩＶａ部分を拡大して示した部分拡大分解斜視図であり、図４（ｂ）は他の角度から眺めた本発明の主要部である第１ユニット１００のワイパー１１０に結合されるメーン移動体１２０の底面からななめに眺めたことを示した斜視概念図である。
【００４２】
そして、図５は、図２のＶａ及びＶｂ時点から眺めたものであり、本発明の一実施例に係る第１ユニット１００のメーン移動体１２０とかみ合うメーンレール２１０の構造を図示した断面概念図である。
【００４３】
そして、図６は、本発明の一実施例に係る異物積層防止装置の主要部である第１ユニット１００のワイパー１１０に結合されるサブ移動体１３０の構造を図示したものであり、図６（ａ）は図３のＶＩａ部分を拡大して示した部分拡大分解斜視図であり、図６（ｂ）は他の角度から眺めた本発明の主要部である第１ユニット１００のワイパー１１０に結合されるサブ移動体１３０の底面からななめに眺めたことを示した斜視概念図である。
【００４４】
そして、図７は、図２のＶＩＩａ及びＶＩＩｂ時点で眺めたものであり、本発明の一実施例に係る第１ユニット１００のサブ移動体１３０とかみ合う第２ユニット２００の第２サブレール２２０ｂの構造を図示した断面概念図である。
【００４５】
そして、図８は、図３のＶＩＩＩ部分を拡大して図示したものであり、本発明の一実施例に係る異物積層防止装置の主要部であるワイパー１１０に駆動力を伝達する第３ユニット３００の中駆動伝達係と張力維持部５００の構造を図示した部分分解斜視概念図である。
【００４６】
そして、図９は、図２のＩＸ時点から眺めたものであり、本発明の一実施例に係る異物積層防止装置の主要部である第３ユニット３００の駆動伝達係と張力維持部５００の内部構造を図示した側断面概念図である。
【００４７】
そして、図１０は、図３のＸ時点から眺めたものであり、本発明の一実施例に係る異物積層防止装置の主要部である第２ユニット２００のメーンレール２１０の他端部側に配置された従動プーリー３３０とベルト３０１との結合関係を図示した部分分解斜視概念図である。
【００４８】
また、図１１は、本発明の一実施例に係る異物積層防止装置の主要部である第２ユニット２００のメーンレール２１０の他端部側に配置された従動プーリー３３０とベルト３０１との結合関係を図示した部分分解斜視概念図である。
【００４９】
同時に、図１２は、図２のＸＩＩ時点から眺めたものであり、本発明の一実施例に係る異物積層防止装置の主要部である第２ユニット２００のメーンレール２１０を差し支持する調節支持手段７００の構造を図示した側面概念図である。
【００５０】
参照で、後述する「第１方向」とは、図面で矢印 Ａ、Ｂ 方向を、後述する「第２方向」とは、図面で矢印Ｃ、Ｄ 方向を各々示す。
【００５１】
本発明は、図示のように第１ユニット１００が往復（図２の透明な矢印方向参照）し、第２ユニット２００は第１ユニット１００の往復を支持し、第３ユニット３００は第２ユニット２００に沿って往復する第１ユニット１００に駆動力を伝達する構造であることを把握することができる。
【００５２】
まず、第１ユニット１００は、対象面４００に第１方向に沿って配置されるワイパー１１０と、ワイパー１１０の下面に装着され第１方向と直交する第２方向に移動するメーン移動体１２０と、ワイパー１１０の両側の下面に装着されメーン移動体１２０とともに第２方向に移動するサブ移動体１３０と、を含むものである。
【００５３】
そして、第２ユニット２００は、メーン移動体１２０の往復を支持するように対象面４００に配置されるメーンレール２１０と、ワイパー１１０の一側の下面に装着されたサブ移動体１３０の往復を支持するように対象面４００に配置される第１サブレール２２０ａと、ワイパー１１０の他側の下面に装着されたサブ移動体１３０の往復を支持するように対象面４００に配置される第２サブレール２２０ｂと、を含むものである。
【００５４】
また、第３ユニット３００（以下図８参照）は、メーンレール２１０の上、下面に各々見合わせるように装着される内側の縁を持つ駆動伝達手段を含み、駆動伝達手段の外側の縁の上の特定な地点に固定されたメーン移動体１２０がメーンレール２１０に沿って往復可能になるように駆動力を伝達するものである。
【００５５】
したがって、ワイパー１１０は、対象面４００に積層された異物を対象面４００の外にとり除くことができるようになる。
【００５６】
本発明は前記のような実施例の適用が可能であり次のような多様な実施例の適用も可能であることは勿論である。
【００５７】
まず、メーンレール２１０と第１サブレール２２０ａと及び第２サブレール２２０ｂとは、第２方向の長さが長く形成された大きい面積を持つ対象面４００にも設置して使うように少なくとも一つ以上、望ましくは複数の単位レールフレームたちからなることが望ましい。
【００５８】
一方、対象面４００は、建築物の屋根、太陽光モジュールの集光パネル、建築構造物の硝子表面、建築物の傾いた屋根、傾斜地の人道または傾斜地の道路中いずれかの一つであることもできるし、ワイパー１１０を利用し表面に積もった多様な異物を掃き出してとり除くことができる対象面４００であるならどんな種類の物にも適用することができる。
【００５９】
また、ワイパー１１０は、図４ないし図７を参照してもう具体的によく見れば、対象面４００に見合わせるように配置され第１方向に沿ってバー形象に延長形成されたコア片１１１と、コア片１１１の両側の縁から対象面４００側に向け各々延長されコア片１１１に対し傾くように配置されるサイド片１１２、１１２とともに、ブラッシュアレイ（以下図示せず）を含むことができる。
【００６０】
ブラッシュアレイは、コア片１１１とサイド片１１２、１１２とが会い合う連結部位に第１方向に沿って対象面４００側に向け形成され、異物をワイパー１１０の移動方向に沿って掃き出す役目を遂行するために備われたものである。
【００６１】
ここで、メーン移動体１２０は、コア片１１１の下面の中間に装着されることと共に、サイド片１１２、１１２の各々の縁を収容することが分かる。
【００６２】
この時、ブラッシュアレイは便宜上図面に表示することは略したが、対象面４００の表面にスクラッチが生ずることが防止できるようにナイロンブラッシュを採択することもできる。
【００６３】
一方、メーン移動体１２０は、図４及び図５を参照してもう具体的によく見れば、メーンレール２１０の上部に配置されるメーンブロック１２１と、メーンブロック１２１の下面に第２方向に陷沒されメーンレール２１０の上面に見合わせるメーン天井案内面１２３（以下図４参照）を持つメーン移動案内溝１２２と、を含むことができる。
【００６４】
そして、メーン移動体１２０は、メーン移動案内溝１２２の両側の縁の外側に各々回転可能に装着されメーンブロック１２１の下面に配置され、メーンレール２１０の両側面に対し転ぶように接触するメーン移動ローラー１２４を含むことができる。
【００６５】
また、メーン移動体１２０は、メーンブロック１２１の上面の中心から突き出され第１方向に配置され、ワイパー１１０のコア片１１１の下面に見合わせるメーン安着突片１２５を含むこともできる。
【００６６】
同時に、メーン移動体１２０は、メーンブロック１２１の上面に第１方向に沿って陷沒形成されてメーン安着突片１２５の両側の縁の外側に各々配置されて、コア片１１１の両側の縁から傾くように延長形成されたサイド片１１２、１１２の端が収容されて安着されるサイド安着溝１２６を含むこともできる。
【００６７】
このようなメーン移動ローラー１２４は、もう具体的によく見れば、メーンレール２１０の両側面に見合わせる外周面を持つメーンローラー本体１２４ｂを具備することができる。
【００６８】
また、メーン移動ローラー１２４は、メーンローラー本体１２４ｂの外周面の上部側からメーンローラー本体１２４ｂの上面の縁まで上向き傾くように形成される円錐台形象の上部メーン斜面１２４ｕを具備することもできる。
【００６９】
同時に、メーン移動ローラー１２４は、メーンローラー本体１２４ｂの外周面の下部側からメーンローラー本体１２４ｂ下面の縁まで下向き傾くように形成される逆円錐台形象の下部メーン斜面１２４ｄを具備することもできる。
【００７０】
したがって、上部メーン斜面１２４ｕは、メーンレール２１０の両側面の上部側に第２方向に沿って各々突き出され形成された上部メーンリブ２１３、２１３の下部側の外側面に沿って傾くように切開形成された上部メーン傾斜案内面２１３ｓ、２１３ｓに当接することを把握することができる。
【００７１】
また、下部メーン斜面１２４ｄは、メーンレール２１０の両側面の下部側に第２方向に沿って各々突き出され形成された下部メーンリブ２１４、２１４の上部側の外側面に沿って傾くように切開形成された下部メーン傾斜案内面２１４ｓ、２１４ｓに当接することが分かる。
【００７２】
すなわち、メーン移動ローラー１２４は、図５（ａ）のように、メーンレール２１０の両側面に形成された上部メーン傾斜案内面２１３ｓ、２１３ｓに、メーンローラー本体１２４ｂの上部メーン斜面１２４ｕが当接することと共に、メーンレール２１０の両側面に形成された下部メーン傾斜案内面２１４ｓ、２１４ｓに、メーンローラー本体１２４ｂの下部メーン斜面１２４ｄが当接するように形成された転ぶように接触する構造を提供することができる。
【００７３】
したがって、メーン移動ローラー１２４が上部メーン傾斜案内面２１３ｓ、２１３ｓと下部メーン傾斜案内面２１４ｓ、２１４ｓとにぴったりに当接し転ぶように接触するようになるため、メーン移動体１２０が第２方向に沿って搖れることもない安定的に直線往復することができるようになる。
【００７４】
一方、ワイパー１１０は、サイド片１１２、１１２の各々の下面に第１方向に沿ってお互いに見合わせるように突き出され形成された補強片１１３、１１３と、サイド片１１２、１１２の各々の下面に第１方向に沿って突き出され形成され補強片１１３、１１３の下面と直交する側面を持つ楔の形象の断面を持つ固定丘１１４、１１４をさらに具備することができる。
【００７５】
ここで、補強片１１３、１１３の下面にメーン安着突片１２５の上面が当接することと共に、固定丘１１４、１１４の側面にメーン安着突片１２５の上部の両側面が当接することにより、全体的に図５（ｂ）のようにメーン安着突片１２５にワイパー１１０のサイド片１１２、１１２が安着固定されることができるようになる。
【００７６】
一方、サブ移動体１３０は、図６及び図７を参照してもう具体的によく見れば、第１サブレール２２０ａ及び第２サブレール２２０ｂの各々の上部に配置されるサブブロック１３１と、サブブロック１３１の下面に第２方向に陷沒され第１サブレール２２０ａ及び第２サブレール２２０ｂの各々の上面に見合わせるサブ天井案内面１３３を持つサブ移動案内溝１３２を含むことができる。
【００７７】
そして、サブ移動体１３０は、サブ移動案内溝１３２の両側の縁の外側に各々回転可能に装着されサブブロック１３１の下面に配置されて、第１サブレール２２０ａ及び第２サブレール２２０ｂの各々の両側面に対し転ぶように接触するサブ移動ローラー１３４を含むことができる。
【００７８】
また、サブ移動体１３０は、サブブロック１３１の上面の中心から突き出され第１方向に配置され、ワイパー１１０のコア片１１１の下面に見合わせるサブ安着突片１３５を含むこともできる。
【００７９】
ここで、サブ移動体１３０は、もう具体的によく見れば、第１サブレール２２０ａ及び第２サブレール２２０ｂの各々の両側面に見合わせる外周面を持つサブローラー本体１３４ｂを具備することができる。
【００８０】
この時、サブ移動体１３０は、サブローラー本体１３４ｂの外周面の上部側からサブローラー本体１３４ｂの上面の縁まで上向き傾くように形成される円錐台形象の上部サブ斜面１３４ｕを具備することもできる。
【００８１】
また、サブ移動体１３０は、サブローラー本体１３４ｂの外周面の下部側からサブローラー本体１３４ｂの下面の縁まで下向き傾くように形成される逆円錐台形象の下部サブ斜面１３４ｄを具備することもできる。
【００８２】
したがって、上部サブ斜面１３４ｕは、第１サブレール２２０ａ及び第２サブレール２２０ｂの各々の両側面の上部側に第２方向に沿って各々突き出され形成された上部サブリブ２２３、２２３の下部側の外側面に沿って傾くように切開形成された、上部サブ傾斜案内面２２３ｓ、２２３ｓに当接することを把握することができる。
【００８３】
また、下部サブ斜面１３４ｄは、第１サブレール２２０ａ及び第２サブレール２２０ｂの各々の両側面の下部側に第２方向に沿って各々突き出され形成された下部サブリブ２２４、２２４の上部側の外側面に沿って傾くように切開形成された、下部サブ傾斜案内面２２４ｓ、２２４ｓに当接することが分かる。
【００８４】
すなわち、サブ移動ローラー１３４は、図７（ａ）のようにサブローラー本体１３４ｂの上部サブ斜面１３４ｕが第１サブレール２２０ａまたは第２サブレール２２０ｂの各々の両側面に形成された上部サブ傾斜案内面２２３ｓ、２２３ｓに当接することと共に、サブローラー本体１３４ｂの下部サブ斜面１３４ｄが第１サブレール２２０ａまたは第２サブレール２２０ｂの各々の両側面に形成された下部サブ傾斜案内面２２４ｓ、２２４ｓに当接するように形成された転ぶように接触する構造を提供することができる。
【００８５】
したがって、サブ移動ローラー１３４が上部サブ傾斜案内面２２３ｓ、２２３ｓと下部サブ傾斜案内面２２４ｓ、２２４ｓにぴったりに当接し転ぶように接触するようになるため、サブ移動体１３０が第１サブレール２２０ａ及び第２サブレール２２０ｂで第２方向に沿って搖れることもない安定的に直線往復することができるようになる。
【００８６】
また、補強片１１３、１１３の下面にサブ安着突片１３５の上面が当接することと共に、固定丘１１４、１１４の側面にサブ安着突片１３５の上部の両側面が当接することにより、全体的に図７（ｂ）のようにサブ安着突片１３５にワイパー１１０のサイド片１１２、１１２が安着固定されることができるようになる。
【００８７】
一方、メーンレール２１０は、図示のように、第２方向に両端が貫通され駆動伝達手段の下部の内側の縁が見合わせる天井面を持つメーンレール本体２１１と、メーンレール本体２１１の上面に第２方向に沿って陷沒され駆動伝達手段の上部の内側の縁が見合わせる底面２１２ｂを持つ案内収容溝２１２を含むことができる。
【００８８】
そして、メーンレール２１０は、メーンレール本体２１１の上面に第２方向に沿って平行に複数に陷沒され案内収容溝２１２の両側の縁の外側に配置される上部メーン補強リブ溝２１１ｇを含むことができる。
【００８９】
そして、メーンレール２１０は、メーンレール本体２１１の両側面の上部側に第２方向に沿って各々突き出され形成された上部メーンリブ２１３、２１３と、上部メーンリブ２１３、２１３の下部側の外側面に沿って傾くように切開形成された上部メーン傾斜案内面２１３ｓ、２１３ｓを含むことができる。
【００９０】
また、メーンレール２１０は、メーンレール２１０の両側面の下部側に第２方向に沿って各々突き出され形成された下部メーンリブ２１４、２１４と、下部メーンリブ２１４、２１４の上部側の外側面に沿って傾くように切開形成された下部メーン傾斜案内面２１４ｓ、２１４ｓを含むこともできる。
【００９１】
したがって、上部メーン傾斜案内面２１３ｓ、２１３ｓ及び下部メーン傾斜案内面２１４ｓ、２１４ｓにメーン移動体１２０の下部の両側に回転可能に装着されるメーン移動ローラー１２４の上、下の両端部の縁が当接し転ぶように接触することになる。
【００９２】
ここで、メーンレール２１０は、上部メーンリブ２１３、２１３の各々の外側面に第２方向に沿って陷沒形成された側面メーン補強リブ溝２１３ｇ、２１３ｇをさらに具備することもできる。
【００９３】
この時、上部メーン補強リブ溝２１１ｇと側面メーン補強リブ溝２１３ｇ、２１３ｇとは、第２方向に長さが長くなるメーンレール２１０が降雪または土砂の流入などによって外力を受け垂れたり撓うとか拗けることを防止し構造的強度を維持するために備われた技術的手段と言える。
【００９４】
一方、第１サブレール２２０ａ及び第２サブレール２２０ｂとは、もう具体的によく見れば、第２方向に両端が貫通されたサブレール本体２２１と、サブレール本体２２１の上面に第２方向に沿って平行に複数に陷沒された上部サブ補強リブ溝２２２を含むことができる。
【００９５】
そして、第１サブレール２２０ａ及び第２サブレール２２０ｂとは、サブレール本体２２１の両側面の上部側に第２方向に沿って各々突き出され形成された上部サブリブ２２３、２２３と、上部サブリブ２２３、２２３の下部側の外側面に沿って傾くように切開形成された上部サブ傾斜案内面２２３ｓ、２２３ｓを含むこともできる。
【００９６】
また、第１サブレール２２０ａ及び第２サブレール２２０ｂとは、サブレール本体２２１の両側面の下部側に第２方向に沿って各々突き出され形成された下部サブリブ２２４、２２４と、下部サブリブ２２４、２２４の上部側の外側面に沿って傾くように切開形成された下部サブ傾斜案内面２２４ｓ、２２４ｓを含むこともできる。
【００９７】
したがって、上部サブ傾斜案内面２２３ｓ、２２３ｓ及び下部サブ傾斜案内面２２４ｓ、２２４ｓにサブ移動体１３０の下部の両側に回転可能に装着されるサブ移動ローラー１３４の上、下の両端部の縁が当接し転ぶように接触することになる。
【００９８】
ここで、第１サブレール２２０ａ及び第２サブレール２２０ｂは、上部サブリブ２２３、２２３の各々の外側面に第２方向に沿って陷沒形成された側面サブ補強リブ溝２２３ｇ、２２３ｇをさらに具備することもできることは勿論である。
【００９９】
この時、上部サブ補強リブ溝２２２と側面サブ補強リブ溝２２３ｇ、２２３ｇとは、第２方向に長さが長くなる第１サブレール２２０ａ及び第２サブレール２２０ｂが降雪または土砂の流入などにより外力を受け垂れたり撓うとか拗けることを防止し構造的強度を維持するために備われた技術的手段と言える。
【０１００】
この時、前述のメーン移動ローラー１２４及びサブ移動ローラー１３４の各々は、その内部にステンレスベアリング５６０、５６０を内蔵し、メーン移動ローラー１２４及びサブ移動ローラー１３４の各々の表面には、アルミニウムの粉末冶金による表面塗装を実施し耐久性と耐腐食性及び耐化学性と、などを高めることができる。
【０１０１】
一方、第３ユニット３００は、メーンレール２１０の一端部の外側に具備される駆動モーター３１０と、駆動モーター３１０の駆動軸に結合され駆動伝達手段であるベルト３０１の内周面が当接しかかる駆動プーリー３２０と、メーンレール２１０の他端部の外側に具備されベルト３０１の内周面が当接しかかる従動プーリー３３０を含むことができる。
【０１０２】
また、第３ユニット３００は、メーンレール２１０の一端部の外側に具備され、メーンレール２１０の一端部と駆動プーリー３２０との間に配置されベルト３０１の上部側の内周面と下部側の内周面が接触する外周面を持つガイドプーリー３４０を含むこともできる。
【０１０３】
同時に、第３ユニット３００は、ガイドプーリー３４０と駆動プーリー３２０との間を経つベルト３０１の上部側の外周面と下部側の外周面とを加圧し一定な程度の張力を維持させる張力維持部５００をさらに含むこともできる。
【０１０４】
ここで、ベルト３０１の上部側の内週面は、図５（ａ）のようにメーンレール２１０の上面に見合わせ、ベルト３０１の下部側の内週面は、メーンレール２１０の内部の天井面に見合わせ、メーン移動体１２０はベルト３０１の上部側の外周面に固定されることを把握することができる。
【０１０５】
この時、前述の張力維持部５００は、ベルト３０１の上部側の外周面に接触する上部加圧ローラー５１０と、ベルト３０１の下部側の外周面に接触する下部加圧ローラー５２０を含むことができる。
【０１０６】
そして、張力維持部５００は、上部加圧ローラー５１０の回転軸の両端部を支持しベルト３０１の上部側の外周面の上部に配置される上部支持バー５３０と、下部加圧ローラー５２０の回転軸の両端部を支持しベルト３０１の下部側の外周面の下部に配置される下部支持バー５４０を含むことができる。
【０１０７】
また、張力維持部５００は、メーンレール２１０の一端部から遠くなる方向側の上部支持バー５３０の端部（以下第１外側末端５３１）と、メーンレール２１０の一端部から遠くなる方向側の下部支持バー５４０の端部（以下第２外側末端５４１）を相互連結する張力維持スプリング５５０を含むこともできる。
【０１０８】
張力維持スプリング５５０は、第１外側末端５３１と第２外側末端５４１がお互いに遠くなる方向に弾性力を発生させながら弾性変形も許容することにより、上部加圧ローラー５１０と下部加圧ローラー５２０とが同時にベルト３１０の上部側の外周面及び下部側の外周面を加圧しながら一定な程度の張力を維持する構造であることが分かる。
【０１０９】
一方、張力維持部５００は、ガイドプーリー３４０の中心軸の両端部に各々装着されガイドプーリー３４０の回転を支持するベアリング５６０、５６０をさらに具備することができる。
【０１１０】
また、張力維持部５００は、ベアリング５６０、５６０を収容し、駆動モーター３１０と駆動プーリー３２０とガイドプーリー３４０と及び張力維持部５００を収容する空間が形成される駆動ボックス６００の底面に固定された支持片５７１、５７２と、をさらに具備することもできる。
【０１１１】
同時に、張力維持部５００は、メーンレール２１０の一端部に近くなる方向側の上部支持バー５３０の端部（以下第１内側末端５３２）を回転可能に支持し、一対の支持片５７１、５７２に両端部が結合される上部支持ピン５８１をさらに具備することもできる。
【０１１２】
同時に、張力維持部５００は、メーンレール２１０の一端部に近くなる方向側の下部支持バー５４０の端部（以下第２内側末端５４２）を回転可能に支持し、一対の支持片５７１、５７２に両端部が結合される下部支持ピン５８２をさらに具備することもできる。
【０１１３】
一方、本発明は図８を参照すれば、メーンレール２１０の一端部の外側に具備され、駆動モーター３１０と駆動プーリー３２０とガイドプーリー３４０と及び張力維持部５００とを収容する空間が形成される駆動ボックス６００と、駆動ボックス６００の上面に脱着可能に具備されるカバー６１０と、カバー６１０の一側に形成されカバー６１０に接する異物が雪または雨または土砂であるかを感知する異物感知センサー６２０をさらに具備することもできる。
【０１１４】
また、本発明は、駆動ボックス６００に内蔵され駆動モーター３１０と異物感知センサー６２０を制御するコントローラー（以下図示せず）と、駆動モーター３１０の一側に具備されメーン移動体１２０がメーンレール２１０の一端部に近付くことを感知しコントローラーに駆動モーター３１０の駆動軸を反対方向に回転させる信号を伝達する非接触近接センサー（以下図示せず）をさらに具備することもできる。
【０１１５】
ここで、本発明は、操作及び管理の便宜のために、コントローラーと遠隔通信が可能でありコントローラーを通じ駆動モーター３１０の稼動を操作するリモートコントローラー（以下図示せず）をさらに具備することもできる。
【０１１６】
この時、異物感知センサー６２０は雪感知基板と、コントローラーによって制御される熱発生素子がアレイされたPＣＢと、をさらに含むことができる。
【０１１７】
すなわち、対象面４００に積もるとか接触した異物が、雪や雨または土砂であるかは、駆動ボックス６００の内部の駆動モーター３１０と前述のPＣＢの電子回路用部品が稼動しながら発生する熱によって感知する方式と言える。
【０１１８】
言い換えれば、異物が雪である場合には、異物感知センサー６２０に雪が接すれば前述のように多様な場合により発生した熱によりとけて水になり、こんなに雪がとけた水が異物感知センサー６２０の表面に形成された複数の金属ラインに接しながら電流が発生するようになることにより雪であるか判断することになる。
【０１１９】
例えば、異物が雨水の場合には、異物感知センサー６２０の表面に水がすぐ接しながら電流が発生するようになることにより雨水であると判断することになる。
【０１２０】
要すると異物感知センサー６２０は、接するとか積もった異物が雪である場合水がすぐ感知されないが装置から発生する熱によってとけながら水に変わるによって一定時間が経過した後感知するようになるため雪であると判断し、雨水の場合にはすぐ感知されるため雨水であると判断するようになる。
【０１２１】
また、異物が土砂である場合には、異物感知センサー６２０が土砂にまじた水または水気を、雪よりは早く雨水よりは遅く感知することにより、異物が土砂であると感知するようになる。
【０１２２】
したがって、異物感知センサー６２０は、電極に接する水気の量により電流の量が変わるようになるため、これを通じ抵抗値の変化を測定することにより、異物が雪や雨水または土砂であるかを確認することができる。
【０１２３】
同時に、異物感知センサー６２０は、外気温度により対象面４００に積もった異物が雪か雨水であるかを判断することができ、外気温度が零下の場合異物は雪であると判断し、外気温度が零度以上の場合異物は雨水であると判断することもできる。
【０１２４】
一方、第２ユニット２００は、メーンレール２１０と第１サブレール２２０ａと及び第２サブレール２２０ｂとの各々の下面に第２方向に沿って離隔し配置され対象面４００上に固定され、メーンレール２１０と第１サブレール２２０ａと及び第２サブレール２２０ｂとの下面と対象面４００との距離を調節可能なスクリュー棒７０１を含む調節支持手段７００をさらに具備することもできる。
【０１２５】
ここで、調節支持手段７００は、メーンレール２１０と第１サブレール２２０ａと及び第２サブレール２２０ｂとの各々の下面に装着され調節空間を持つ装着ブラケット７１０を含むことができる。
【０１２６】
この時、 調節支持手段７００は、装着ブラケット７１０の外側の底面から内側の底面を貫い挿入されるスクリュー棒７０１にねじ結合されるものであり、装着ブラケット７１０の内側の底面に接触し装着される第１調節ナット７２１を含むことができる。
【０１２７】
そして、調節支持手段７００は、スクリュー棒７０１にねじ結合されるものであり、装着ブラケット７１０の外側の底面に接触し装着される第２調節ナット７２２を含むことができる。
【０１２８】
また、調節支持手段７００は、対象面４００に固定される支え片７３０と、支え片７３０の上面に固定されスクリュー棒７０１の下部側の外周面にねじ結合されてスクリュー棒７０１を支持する支持ナット７４０を含むことができる。
【０１２９】
したがって、作業者または管理者は、対象面４００の平坦度または高度によってスクリュー棒７０１を装着ブラケット７１０に対しねじ回転させ高低を微細に調整することにより、 装置全体の設置がもっと安定的に可能になる。
【０１３０】
以上のように本発明は多様な種類の大面積を持つ対象面に積もった雪や異物を確かで效率的にとり除くようにする異物積層防止装置を提供することを基本的な技術的思想にしていることが分かる。
【０１３１】
そして、本発明の基本的な技術的思想の範疇内であって業界通常の知識を持つ者においては、本発明では駆動伝達手段として提示されたステンレススチール材質のベルトと駆動プーリー及び従動プーリーの組合の代りにチェーンとスープラケットの組合に取り替えることもできるなど他の多い変形及び応用も可能である。
【符号の説明】
【０１３２】
１００：第１ユニット、１１０：ワイパー、１１１：コア片、１１２、１１２：サイド片、１１３、１１３：補強片、１１４、１１４：固定丘、１２０：メーン移動体、１２１：メーンブロック、１２２：メーン移動案内溝、１２３：メーン天井案内面、１２４：メーン移動ローラー、１２４ｂ：メーンローラー本体、１２４ｄ：下部メーン斜面、１２４ｕ：上部メーン斜面、１２５：メーン安着突片、１２６：サイド安着溝、１３０：サブ移動体、１３１：サブブロック、１３２：サブ移動案内溝、１３３：サブ天井案内面、１３４：サブ移動ローラー、１３４ｂ：サブローラー本体、１３４ｄ：下部サブ斜面、１３４ｕ：上部サブ斜面、１３５：サブ安着突片、２００：第２ユニット、２１０：メーンレール、２１１：メーンレール本体、２１１ｇ：上部メーン補強リブ溝、２１２：案内収容溝、２１２ｂ：案内収容溝２１２の底面、２１３、２１３：上部メーンリブ、２１３ｇ、２１３ｇ：側面メーン補強リブ溝、２１３ｓ、２１３ｓ：上部メーン傾斜案内面、２１４、２１４：下部メーンリブ、２１４ｓ、２１４ｓ：下部メーン傾斜案内面、２２０ａ：第１サブレール、２２０ｂ：第２サブレール、２２１：サブレール本体、２２２：上部サブ補強リブ溝、２２３、２２３：上部サブリブ、２２３ｇ、２２３ｇ：側面サブ補強リブ溝、２２３ｓ、２２３ｓ：上部サブ傾斜案内面、２２４、２２４：下部サブリブ、２２４ｓ、２２４ｓ：下部サブ傾斜案内面、３００：第３ユニット、３０１：ベルト、３１０：駆動モーター、３２０：駆動プーリー、３３０：従動プーリー、３４０：ガイドプーリー、４００：対象面、５００：張力維持部、５１０：上部加圧ローラー、５２０：下部加圧ローラー、５３０：上部支持バー、５３１：第１外側末端、５３２：第１内側末端、５４０：下部支持バー、５４１：第２外側末端、５４２：第２内側末端、５５０：張力維持スプリング、５６０、５６０：ベアリング、５７１、５７２：支持片、５８１：上部支持ピン、５８２：下部支持ピン、６００：駆動ボックス、６１０：カバー、６２０：異物感知センサー、７００：調節支持手段、７０１：スクリュー棒、７１０：装着ブラケットト、７２１：第１調節ナット、７２２：第２調節ナット、７３０：支え片、７４０：支持ナット
【図１】
2020049188.tif 000003
【図２】
2020049188.tif 000004
【図３】
2020049188.tif 000005
【図４】
2020049188.tif 000006
【図５】
2020049188.tif 000007
【図６】
2020049188.tif 000008
【図７】
2020049188.tif 000009
【図８】
2020049188.tif 000010
【図９】
2020049188.tif 000011
【図１０】
2020049188.tif 000012
【図１１】
2020049188.tif 000013
【図１２】
2020049188.tif 000014
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
対象面に第１方向に沿って配置されるワイパーと、前記ワイパーの下面に装着され前記第１方向と直交する第２方向に移動するメーン移動体と、前記ワイパーの両側の下面に装着され前記メーン移動体とともに前記第２方向に移動するサブ移動体と、を含む第１ユニットと、
前記メーン移動体の往復を支持するように前記対象面に配置されるメーンレールと、前記ワイパーの一側の下面に装着された前記サブ移動体の往復を支持するように前記対象面に配置される第１サブレールと、前記ワイパーの他側の下面に装着された前記サブ移動体の往復を支持するように前記対象面に配置される第２サブレールと、を含む第２ユニットと、
前記メーンレールの一端部の外側に具備される駆動モーターと、前記駆動モーターの駆動軸に結合され前記駆動伝達手段であるベルトの内周面が当接しかかる駆動プーリーと、前記メーンレールの他端部の外側に具備され前記ベルトの内周面が当接しかかる従動プーリーと、前記メーンレールの一端部の外側に具備され、前記メーンレールの一端部と前記駆動プーリーとの間に配置され前記ベルトの上部側の内周面と下部側の内周面が接触する外周面を有するガイドプーリーと、前記ガイドプーリーと前記駆動プーリーとの間を経つ前記ベルトの上部側の外周面と下部側の外周面を加圧し一定な程度の張力を維持させる張力維持部と、を備え、前記ベルトの上部側の内週面は、前記メーンレールの上面に見合わせ、前記ベルトの下部側の内週面は、前記メーンレールの内部の天井面に見合わせ、前記ベルトの上部側の外周面に、前記メーン移動体が固定される第３ユニットと、を含み、
前記ワイパーは、前記対象面に積層された異物を前記対象面の外にとり除く
ことを特徴とする異物積層防止装置。
【請求項２】
前記ワイパーは、
前記対象面に見合わせるように配置され前記第１方向に沿ってバー形象に延長形成されたコア片と、
前記コア片の両側の縁から前記対象面側に向け各々延長され前記コア片に対し傾くように配置されるサイド片と、
前記コア片と前記サイド片との連結部位に前記第１方向に沿って前記対象面側に向けて形成され、前記異物を前記ワイパーの移動方向に沿って掃き出すブラッシュアレイと、を含み、
前記メーン移動体は、前記コア片の下面の中間に装着されることと共に、前記サイド片の各々の縁を収容する
請求項１に記載の異物積層防止装置。
【請求項３】
前記メーン移動体は、
前記メーンレールの上部に配置されるメーンブロックと、
前記メーンブロックの下面に前記第２方向に陷沒され前記メーンレールの上面に見合わせるメーン天井案内面を持つメーン移動案内溝と、
前記メーン移動案内溝の両側の縁の外側に各々回転可能に装着され前記メーンブロックの下面に配置され、前記メーンレールの両側面に対し転ぶように接触するメーン移動ローラーと、
前記メーンブロックの上面の中心から突き出され前記第１方向に配置され、前記ワイパーのコア片の下面に見合わせるメーン安着突片と、
前記メーンブロックの上面に前記第１方向に沿って陷沒形成され前記メーン安着突片の両側の縁の外側に各々配置され、前記コア片の両側の縁から傾くように延長形成されたサイド片の縁が収容され安着されるサイド安着溝と、を含む
請求項１に記載の異物積層防止装置。
【請求項４】
前記サブ移動体は、
前記第１サブレール及び前記第２サブレールの各々の上部に配置されるサブブロックと、
前記サブブロックの下面に前記第２方向に陷沒され前記第１サブレール及び前記第２サブレールの各々の上面に見合わせるサブ天井案内面を持つサブ移動案内溝と、
前記サブ移動案内溝の両側の縁の外側に各々回転可能に装着され前記サブブロックの下面に配置され、前記第１サブレール及び前記第２サブレールの各々の両側面に対し転ぶように接触するサブ移動ローラーと、
前記サブブロックの上面の中心から突き出され前記第１方向に配置され、前記ワイパーのコア片の下面に見合わせるサブ安着突片と、を含む
請求項１に記載の異物積層防止装置。
【請求項５】
前記メーンレールは、
前記第２方向に両端が貫通され前記駆動伝達手段の下部の内側の縁が見合わせる天井面を持つメーンレール本体と、
前記メーンレール本体の上面に前記第２方向に沿って陷沒され前記駆動伝達手段の上部の内側の縁が見合わせる底面を持つ案内収容溝と、
前記メーンレール本体の上面に前記第２方向に沿って平行に複数に陷沒され前記案内収容溝の両側の縁の外側に配置される上部メーン補強リブ溝と、
前記メーンレール本体の両側面の上部側に前記第２方向に沿って各々突き出され形成された上部メーンリブと、
前記上部メーンリブの下部側の外側面に沿って傾くように切開形成された上部メーン傾斜案内面と、
前記メーンレールの両側面の下部側に前記第２方向に沿って各々突き出され形成された下部メーンリブと、
前記下部メーンリブの上部側の外側面に沿って傾くように切開形成された下部メーン傾斜案内面と、を含み、
前記上部メーン傾斜案内面及び前記下部メーン傾斜案内面に、前記メーン移動体の下部の両側に回転可能に装着されるメーン移動ローラーの上、下の両端部の縁が当接し転ぶように接触する
請求項１に記載の異物積層防止装置。
【請求項６】
前記第１サブレール及び前記第２サブレールは、
前記第２方向に両端が貫通されたサブレール本体と、
前記サブレール本体の上面に前記第２方向に沿って平行に複数に陷沒された上部サブ補強リブ溝と、
前記サブレール本体の両側面の上部側に前記第２方向に沿って各々突き出され形成された上部サブリブと、
前記上部サブリブの下部側の外側面に沿って傾くように切開形成された上部サブ傾斜案内面と、
前記サブレール本体の両側面の下部側に前記第２方向に沿って各々突き出され形成された下部サブリブと、
前記下部サブリブの上部側の外側面に沿って傾くように切開形成された下部サブ傾斜案内面と、を含み、
前記上部サブ傾斜案内面及び前記下部サブ傾斜案内面に、前記サブ移動体の下部の両側に回転可能に装着されるサブ移動ローラーの上、下の両端部の縁が当接し転ぶように接触する
請求項１に記載の異物積層防止装置。
【請求項７】
前記張力維持部は、
前記ベルトの上部側の外周面に接触する上部加圧ローラーと、
前記ベルトの下部側の外周面に接触する下部加圧ローラーと、
前記上部加圧ローラーの回転軸の両端部を支持し前記ベルトの上部側の外周面の上部に配置される上部支持バーと、
前記下部加圧ローラーの回転軸の両端部を支持し前記ベルトの下部側の外周面の下部に配置される下部支持バーと、
前記メーンレールの一端部から遠くなる方向側の前記上部支持バーの端部（以下第１外側末端）と、前記メーンレールの一端部から遠くなる方向側の前記下部支持バーの端部（以下第２外側末端）と、を相互連結し、前記第１外側末端と前記第２外側末端とが、お互いに遠くなる方向に弾性力を発生させながら弾性変形を許容する張力維持スプリングと、を含む
請求項１に記載の異物積層防止装置。
【請求項８】
前記メーンレールの一端部の外側に具備され、前記駆動モーターと前記駆動プーリーと前記ガイドプーリーと及び前記張力維持部とを収容する空間が形成される駆動ボックスと、
前記駆動ボックスの上面に脱着可能に具備されるカバーと、
前記カバーの一側に形成され前記カバーに接する異物が雪または雨または土砂であるかを感知する異物感知センサーと、
前記駆動ボックスに内蔵され前記駆動モーターと前記異物感知センサーとを制御するコントローラーと、
前記駆動モーターの一側に具備され前記メーン移動体が前記メーンレールの一端部に近付くことを感知し前記コントローラーに前記駆動モーターの駆動軸を反対方向に回転させる信号を伝達する非接触近接センサーと、をさらに含む
請求項１に記載の異物積層防止装置。
【手続補正書】
【提出日】令和1年6月19日(2019.6.19)
【手続補正１】
【補正対象書類名】特許請求の範囲
【補正対象項目名】請求項１
【補正方法】変更
【補正の内容】
【請求項１】
対象面に第１方向に沿って配置されるワイパーと、前記ワイパーの下面に装着され前記第１方向と直交する第２方向に移動するメーン移動体と、前記ワイパーの両側の下面に装着され前記メーン移動体とともに前記第２方向に移動するサブ移動体と、を含む第１ユニットと、
前記メーン移動体の往復を支持するように前記対象面に配置されるメーンレールと、前記ワイパーの一側の下面に装着された前記サブ移動体の往復を支持するように前記対象面に配置される第１サブレールと、前記ワイパーの他側の下面に装着された前記サブ移動体の往復を支持するように前記対象面に配置される第２サブレールと、を含む第２ユニットと、
前記メーンレールの一端部の外側に具備される駆動モーターと、前記駆動モーターの駆動軸に結合され駆動伝達手段であるベルトの内周面が当接しかかる駆動プーリーと、前記メーンレールの他端部の外側に具備され前記ベルトの内周面が当接しかかる従動プーリーと、前記メーンレールの一端部の外側に具備され、前記メーンレールの一端部と前記駆動プーリーとの間に配置され前記ベルトの上部側の内周面と下部側の内周面が接触する外周面を有するガイドプーリーと、前記ガイドプーリーと前記駆動プーリーとの間を経つ前記ベルトの上部側の外周面と下部側の外周面を加圧し一定な程度の張力を維持させる張力維持部と、を備え、前記ベルトの上部側の内週面は、前記メーンレールの上面に見合わせ、前記ベルトの下部側の内週面は、前記メーンレールの内部の天井面に見合わせ、前記ベルトの上部側の外周面に、前記メーン移動体が固定される第３ユニットと、を含み、
前記ワイパーは、前記対象面に積層された異物を前記対象面の外にとり除く
ことを特徴とする異物積層防止装置。